(57)【要約】【課題】  スピニングリールの発音機構において、スプールを滑らかに回転させるとともに、歯切れのよい発音を得る。【解決手段】  発音機構８０は、第１部材８１と、スプール軸１５に回転不能に装着された第２部材８２と、第１部材８１の内周面の周方向に間隔を隔てて形成された複数の凹凸部８３と、第２部材８２に揺動自在かつ凹凸部８３に当接可能に設けられた爪部材８４と、第２部材８２の爪部材８４の両側に設けられ爪部材８４を両側から押圧することにより中立位置に付勢する１対の付勢部材８５ａ、８５ｂとを有している。爪部材８４の先端部は、凹凸部８３に当接可能に設けられており、スプール４が回転したとき凹凸部８３が爪部材８４に当接を繰り返して発音するようになっている。【選択図】      図５
2005130706.tif 000002
【特許請求の範囲】
【請求項１】
釣り糸の巻き取り及び繰り出しを行うスプールと前記スプールの回転軸との相対回転により発音するスピニングリールの発音機構であって、
前記スプールの内周に前記スプールに対して回転不能に設けられた第１部材と、前記第１部材の内周面の周方向に間隔を隔てて形成された複数の凹凸部とを有する第１発音部と、
前記スプール軸の外周に前記スプール軸に対して回転不能に設けられた第２部材と、前記第２部材に揺動自在かつ前記凹凸部に当接可能に設けられた爪部材と、前記第２部材の前記爪部材の両側に設けられ前記爪部材を両側から押圧することにより中立位置に付勢する１対の付勢部材とを有し、前記スプールが回転したとき前記凹凸部が前記爪部材に当接を繰り返して発音する第２発音部と、
を備えたスピニングリールの発音機構。
【請求項２】
前記第１部材は、前記スプールと別体で設けられている、請求項１に記載のスピニングリールの発音機構。
【請求項３】
前記第１部材は、前記スプールと一体で設けられている、請求項１に記載のスピニングリールの発音機構。
【請求項４】
釣り糸の巻き取り及び繰り出しを行うスプールと前記スプールの回転軸との相対回転により発音するスピニングリールの発音機構であって、
前記スプール軸の外周に前記スプール軸に対して回転不能に設けられた第１部材と、前記第１部材の外周面の周方向に間隔を隔てて形成された複数の凹凸部とを有する第１発音部と、
前記スプールの内周に前記スプールに対して回転不能に設けられた第２部材と、前記第２部材に揺動自在かつ前記凹凸部に当接可能に設けられた爪部材と、前記第２部材の前記爪部材の両側に設けられ前記爪部材を両側から押圧することにより中立位置に付勢する１対の付勢部材とを有し、前記スプールが回転したとき前記爪部材が前記凹凸部に当接を繰り返して発音する第２発音部と、
を備えたスピニングリールの発音機構。
【請求項５】
前記第１部材は、金属により形成されている、請求項１から４のいずれかに記載のスピニングリールの発音機構。
【請求項６】
前記凹凸部は、プレス加工により形成されている、請求項５に記載のスピニングリールの発音機構。
【請求項７】
前記付勢部材は、コイルばねである、請求項１から６のいずれかに記載のスピニングリールの発音機構。
【請求項８】
前記スピニングリールは、前記スプールの回転を規制するフロントドラグ機構を前記スプール内部に有しており、
前記第１発音部及び前記第２発音部は、前記フロントドラグ機構の内部に装着されている、請求項１から７のいずれかに記載のスピニングリールの発音機構。
【請求項９】
前記フロントドラグ機構は、前記スプール軸に回転不能に装着される複数のドラグ板を有しており、
前記第２部材は、前記複数のドラグ板の１つと兼用されている、請求項８に記載のスピニングリールの発音機構。
【発明の詳細な説明】
【技術分野】
【０００１】
本発明は、スピニングリールの発音機構、特に、釣り糸の巻き取り及び繰り出しを行うスプールとスプール軸との相対回転により発音するスピニングリールの発音機構に関する。
【背景技術】
【０００２】
一般に、スピニングリールは、ハンドルを回転自在に支持するリール本体と、ロータと、スプール軸に回転可能に装着されたスプールとを備えている。スピニングリールのスプールは、リール本体に対して前後移動自在であり、外周に釣り糸が巻き付けられる糸巻胴部と、糸巻胴部の後端部に設けられた大径筒状のスカート部とを備えている。糸巻胴部の後端部には、スプール軸に回転不能に装着され、スプールの後方への移動を規制するスプール受け部が配置されている。また、フロントドラグ型のスピニングリールでは、糸巻胴部の内部には、複数のドラグ板からなるドラグ機構や、ドラグ機構作動時に発音する発音機構等を有している。
【０００３】
このような発音機構として、たとえばドラグ機構の内部に配置され、スプール軸に回転不能に装着されたばね部材と、ばね部材に当接して発音する円板部材とを備えたものが知られている（たとえば、特許文献１参照）。円板部材は、糸巻胴部の内周部に装着されており、ばね部材との相対回転により内周側に形成された凹凸部にばね部材に当接して発音するようになっている。
【特許文献１】実公平６−１６５０８号公報
【発明の開示】
【発明が解決しようとする課題】
【０００４】
前記従来のスピニングリールの発音機構では、円板部材には凹凸部が形成されており、ドラグ機構作動時、すなわちスプールが釣り糸繰り出し方向に回転したときに凹凸部にばね部材が当接して発音する。しかし、ばね部材は凹凸部に対して垂直方向に付勢されているので、ばね部材が凹凸部に当接したとき回転方向に抵抗が生じ、発音時にスプールの回転トルクが大きく変動してしまうおそれがある。このようにスプールの回転トルクが大きく変動すると、スプールの滑らかな回転を阻害するとともに、歯切れのよい発音が得られないおそれが生じる。
【０００５】
本発明の課題は、スピニングリールの発音機構において、スプールを滑らかに回転させるとともに、歯切れのよい発音を得ることにある。
【課題を解決するための手段】
【０００６】
発明１に係るスピニングリールの発音機構は、釣り糸の巻き取り及び繰り出しを行うスプールと前記スプールの回転軸との相対回転により発音するスピニングリールの発音機構であって、スプールの内周にスプールに対して回転不能に設けられた第１部材と第１部材の内周面の周方向に間隔を隔てて形成された複数の凹凸部とを有する第１発音部と、スプール軸の外周にスプール軸に対して回転不能に設けられた第２部材と第２部材に揺動自在かつ凹凸部に当接可能に設けられた爪部材と第２部材の爪部材の両側に設けられ爪部材を両側から押圧することにより中立位置に付勢する１対の付勢部材とを有しスプールが回転したとき凹凸部が爪部材に当接を繰り返して発音する第２発音部とを備えている。
【０００７】
この発音機構では、爪部材を中立位置に付勢する１対の付勢部材が爪部材の両側に設けられており、爪部材は凹凸部に対して回転方向に両側から押圧されて付勢されている。このため、爪部材が凹凸部に当接したとき、付勢部材によって爪部材が回転方向に逃げるので、回転方向の抵抗を低減することができる。したがって、発音時にスプールの回転トルクが大きく変動しにくくなるので、スプールを滑らかに回転させることができ、歯切れのよい発音を得ることができる。
【０００８】
発明２に係る発音機構は、発明１の発音機構において、第１部材は、スプールと別体で設けられている。この場合、たとえばスプールを合成樹脂で形成し、別体の第１部材を金属で形成できるので、さらに歯切れよく発音させることができる。また、第１部材を別体にすることにより、凹凸部の加工が容易になる。
【０００９】
発明３に係る発音機構は、発明１の発音機構において、第１部材は、スプールと一体で設けられている。この場合、スプールと第１部材とを合成樹脂や金属で一体成形することにより、部品点数を減少できるので、組立性を向上でき、製造コストの増加を抑えることができる。
【００１０】
発明４に係る発音機構は、釣り糸の巻き取り及び繰り出しを行うスプールと前記スプールの回転軸との相対回転により発音するスピニングリールの発音機構であって、スプール軸の外周にスプール軸に対して回転不能に設けられた第１部材と第１部材の外周面の周方向に間隔を隔てて形成された複数の凹凸部とを有する第１発音部と、スプールの内周にスプールに対して回転不能に設けられた第２部材と第２部材に揺動自在かつ凹凸部に当接可能に設けられた爪部材と第２部材の爪部材の両側に設けられ爪部材を両側から押圧することにより中立位置に付勢する１対の付勢部材とを有しスプールが回転したとき爪部材が凹凸部に当接を繰り返して発音する第２発音部とを備えている。ここでは、発明１と同様に、爪部材を中立位置に付勢する１対の付勢部材が爪部材の両側に設けられているので、スプールを滑らかに回転させることができ、歯切れのよい発音を得ることができる。
【００１１】
発明５に係る発音機構は、発明１から４のいずれかの発音機構において、第１部材は、金属により形成されている。この場合、第１部材を金属により形成することにより、さらに歯切れよく発音させることができる。
【００１２】
発明６に係る発音機構は、発明５の発音機構において、凹凸部は、プレス加工により形成されている。この場合、円筒状の金属薄板の内外をプレス加工することにより、簡単に凹凸部を形成できる。
【００１３】
発明７に係る発音機構は、発明１から６のいずれかの発音機構において、付勢部材は、コイルばねである。この場合、安価な構成で爪部材を付勢できる。
【００１４】
発明８に係る発音機構は、発明１から７のいずれかの発音機構において、スピニングリールは、スプールの回転を規制するフロントドラグ機構をスプール内部に有している。第１発音部及び第２発音部は、フロントドラグ機構の内部に装着されている。この場合、特に小さいリールにおいて、スプール後端部とロータ前端部との間にスペースがなくても、第１発音部及び第２発音部をスプール内部のスペースに配置できる。
【００１５】
発明９に係る発音機構は、発明８の発音機構において、フロントドラグ機構は、スプール軸に回転不能に装着される複数のドラグ板を有している。第２部材は、複数のドラグ板の１つと兼用されている。この場合、第２部材とドラグ板とを兼用しているので、全体の構成が簡素になる。
【発明の効果】
【００１６】
本発明によれば、スピニングリールの発音機構において、爪部材を両側から押圧することにより中立位置に付勢する１対の付勢部材が爪部材の両側に設けられているので、スプールを滑らかに回転させることができ、歯切れのよい発音を得ることができる。
【発明を実施するための最良の形態】
【００１７】
〔全体構成及びリール本体の構成〕
本発明の一実施形態を採用したスピニングリールは、図１及び図２に示すように、ハンドル１を回転自在に支持するリール本体２と、ロータ３と、スプール４とを備えている。ロータ３は、スプール４に釣り糸を巻き付けるものであり、リール本体２の前部に回転自在に支持されている。スプール４は、外周面に釣り糸を巻き取るものであり、ロータ３の前部に前後移動自在に配置されている。
【００１８】
リール本体２は、リールボディ２ａと、リールボディ２ａから斜め上前方に延びる竿取付脚２ｂとを有している。リールボディ２ａは、内部に空間を有しており、その空間内には、ロータ３をハンドル１の回転に連動して回転させるロータ駆動機構５と、スプール４を前後に移動させて釣り糸を均一に巻き取るためのオシレーティング機構６とが設けられている。
【００１９】
ロータ駆動機構５は、ハンドル１が固定されたハンドル軸１０とともに回転するメインギア１１と、このメインギア１１に噛み合うピニオンギア１２とを有している。ピニオンギア１２は筒状に形成されており、その前部１２ａはロータ３の中心部を貫通しており、ナット１３によりロータ３と固定されている。ピニオンギア１２は、その軸方向の中間部と後端部とが、それぞれ軸受１４ａ、１４ｂを介してリール本体２に回転自在に支持されている。
【００２０】
オシレーティング機構６は、スプール４の中心部にドラグ機構６０を介して連結されたスプール軸１５を前後方向に移動させてスプール４を同方向に移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３は、ピニオンギア１２に噛み合っている。
【００２１】
〔ロータの構成〕
ロータ３は、図２に示すように、円筒部３０と、円筒部３０の側方に互いに対向して設けられた第１ロータアーム３１及び第２ロータアーム３２とを有している。円筒部３０と第１ロータアーム３１及び第２ロータアーム３２とは、たとえばアルミニウム合金製であり一体成形されている。
【００２２】
円筒部３０の前部には前壁３３が形成されており、前壁３３の中央部にはボス部３３ａが形成されている。ボス部３３ａの中心部には貫通孔が形成されており、この貫通孔をピニオンギアの前部１２ａ及びスプール軸１５が貫通している。前壁３３の前部にナット１３が配置されており、ナット１３の内部にスプール軸１５を回転自在に支持する軸受３５が配置されている。
【００２３】
第１ロータアーム３１は、円筒部３０から外方に凸に湾曲して前方に延びており、円筒部３０との接続部は円筒部３０の周方向に広がり湾曲している。第１ロータアーム３１の先端の外周側には、第１ベール支持部材４０が揺動自在に装着されている。第１ベール支持部材４０の先端には、釣り糸をスプール４に案内するためのラインローラ４１が装着されている。
【００２４】
第２ロータアーム３２は、円筒部３０から外方に凸に湾曲して前方に延びている。第２ロータアーム３２は、先端部から円筒部３０との接続部分に向けて２股に分岐しており、円筒部３０と周方向に間隔を隔てた２箇所で接続されている。第２ロータアーム３２の先端内周側には、第２ベール支持部材４２が揺動自在に装着されている。
【００２５】
ラインローラ４１と第２ベール支持部材４２との間には線材を略Ｕ状に湾曲させた形状のベール４３が固定されている。これらの第１及び第２ベール支持部材４０、４２、ラインローラ４１及びベール４３により釣り糸をスプール４に案内するベールアーム４４が構成される。ベールアーム４４は、図２に示す糸案内姿勢とそれから反転した糸開放姿勢との間で揺動自在である。
【００２６】
ロータ３の円筒部３０の内部にはロータ３の逆転を禁止・解除するための逆転防止機構５０が配置されている。逆転防止機構５０は、内輪が遊転するローラ型のワンウェイクラッチ５１と、ワンウェイクラッチ５１を作動状態（逆転禁止状態）と非作動状態（逆転許可状態）とに切り換える切換機構５２とを有している。
【００２７】
〔スプールの構成〕
スプール４は、ロータ３の第１ロータアーム３１と第２ロータアーム３２との間に配置されており、スプール軸１５の先端にドラグ機構６０を介して装着されている。スプール４は、図３に拡大して示すように、スプール本体５３と、スプール本体５３の前端部に取り付けられた前フランジ部５４と、前フランジ部５４をスプール本体５３に固定するための前フランジ固定部材５５と、ドラグ機構６０とスプール本体５３との間に配置された防水部材５８とを有している。スプール本体５３は、外周に釣り糸が巻かれる筒状の糸巻胴部５３ａと、糸巻胴部５３ａの後端部に一体成形された大径筒状のスカート部５３ｂと、糸巻胴部５３ａの内周側に取り付けられた内筒部材５３ｃとを有している。
【００２８】
糸巻胴部５３ａ及びスカート部５３ｂは、アルミニウム合金の薄板をプレス加工により一体成形して得られた大小２段の筒状の部材である。
【００２９】
内筒部材５３ｃは、糸巻胴部５３ａの内周側に取り付けられ、ドラグ機構６０が装着されるアルミニウム合金又はステンレス合金製の筒状部材であり、ダイカスト成形により形成されている。内筒部材５３ｃの後端部は、スカート部５３ｂにねじ止め固定されている。また、内筒部材５３ｃの内周側には、前フランジ固定部材５５が螺合する雌ねじ部５３ｄが形成されている。内筒部材５３ｃの内周側には中心をスプール軸１５が貫通する壁面部５６が一体形成されている。壁面部５６は、２つの軸受５７ａ、５７ｂによりスプール軸１５に回転自在に装着されている。壁面部５６の前側面には、防水部材５８を回転不能に係止するための２つの丸穴５６ａが周方向に間隔を隔てて形成されている。
【００３０】
内筒部材５３ｃの前端部には、内フランジ部５３ｅが形成されている。内フランジ部５３ｅは、内筒部材５３ｃの前端部に接するように内側に折れ曲がるようにプレス加工されている。内フランジ部５３ｅは、内筒部材５３ｃの前端部と前フランジ部５４との間に回り止めされた状態で挟持されている。
【００３１】
前フランジ部５４は、アルミニウム合金製の環状部材であり、後方に折れ曲がるようにカーリング加工が施されている。前フランジ部５４は、前フランジ固定部材５５を内筒部材５３ｃにねじ込むことにより、内フランジ部５３ｅの前端部と前フランジ固定部材５５との間に挟持される。
【００３２】
前フランジ固定部材５５は、前フランジ部５４を内筒部材５３ｃに押圧して固定するための金属製の部材である。前フランジ固定部材５５は、スプール軸１５と同芯に配置された第１筒部５５ａ及び第２筒部５５ｂと、第１筒部５５ａ及び第２筒部５５ｂを前部で連結するように第１筒部５５ａ及び第２筒部５５ｂと一体で形成された当接部５５ｃとを有している。第１筒部５５ａは、外周面に内筒部材５３ｃの雌ねじ部５３ｄに螺合する雄ねじ部５５ｄを有している。第２筒部５５ｂは、第１筒部５５ａの内周側に間隔を隔てて配置されている。当接部５５ｃは、第１筒部５５ａより径方向外方に突出して前フランジ部５４の前面に当接している。この当接部５５ｃで前フランジ部５４を内筒部材５３ｃに向けて押圧することで、前フランジ部５４がスプール本体５３に固定されている。
【００３３】
防水部材５８は、たとえば、ナイロン６６などの弾性を有する合成樹脂製の筒状部材であり、前フランジ部５４の装着部分の隙間からドラグ機構６０に向けて水が浸入するのを防止するために設けられている。防水部材５８は、内筒部材５３ｃとドラグ機構６０との間に配置され、両端面が前フランジ固定部材５５と壁面部５６とに接触して保持されている。防水部材５８の前部は、前フランジ固定部材５５の第１筒部５５ａ及び第２筒部５５ｂの間に装着されており、当接部５５ｃの後面に前端面が接触している。防水部材５８の外周面には、周方向に間隔を隔てて形成された複数の突起部５８ａが形成されている。
【００３４】
防水部材５８の内周側の後部には、図３に示すように、発音機構８０が収納されている。防水部材５８の後部内周面には、後述する発音機構８０の第１部材８１を装着するための波状の凹凸部５８ｂが形成されている。また、防水部材５８の後端面には、後方に突出する回り止め突起５８ｃが形成されている。この回り止め突起５８ｃは、壁面部５６に形成された丸穴５６ａに係止されて防水部材５８を内筒部材５３ｃに回転不能に装着するために設けられている。
【００３５】
発音機構８０は、図３から図５に示すように、ドラグの作動によりスプール軸１５とスプール４とが相対回転すると発音する機構である。発音機構８０は、防水部材５８に装着された第１部材８１と、スプール軸１５に回転不能に装着された第２部材８２と、第１部材８１の内周面の周方向に間隔を隔てて形成された複数の凹凸部８３と、第２部材８２に揺動自在かつ凹凸部８３に当接可能に設けられた爪部材８４と、第２部材８２の爪部材８４の両側に設けられ爪部材８４を両側から押圧することにより中立位置に付勢する１対の付勢部材８５ａ、８５ｂ（図５参照）とを有している。
【００３６】
第１部材８１は、図３から図５に示すように、防水部材５８の内周側の凹凸部５８ｂに回転不能に装着され、凹凸部５８ｂに沿った凹凸部８３が周方向に並べて形成された金属製の筒状部材である。凹凸部８３は、円筒状の金属薄板の内外をプレス加工することにより形成されており、爪部材８４の先端部が当接可能に配置されている。
【００３７】
第２部材８２は、図３から図５に示すように、後述するドラグ機構６０のドラグディスクと兼用された部材であり、スプール軸１５に回転不能に装着されている。第２部材８２は、図４に拡大して示すように、爪部材８４及び付勢部材８５ａ、８５ｂを収納する樹脂製の収納部材８２ａと、収納部材８２ａを挟んで両側に設けられドラグディスクとして機能するステンレス製の円板部材８２ｂ、８２ｃとを有している。
【００３８】
収納部材８２ａは、図４に示すように、内周側がスプール軸１５に回転不能に装着される筒部８２ｄと、筒部８２ｄから径方向外方に延び爪部材８４及び付勢部材８５ａ、８５ｂを収納するために切り欠かれた収納部８２ｅと、収納部８２ｅの両側に立設され付勢部材８５ａ、８５ｂを付勢方向にガイドするガイド部８２ｆ、８２ｇ（図６及び図７参照）とを有している。ガイド部８２ｆ、８２ｇは、図６及び図７に示すように、付勢部材８５ａ、８５ｂの端部及び側部の一部の外形に沿った略コ字状の壁面から構成されている。
【００３９】
円板部材８２ｂは、図４に示すように、筒部８２ｄに装着可能な部材であり、爪部材８４及び付勢部材８５ａ、８５ｂを抜け止めしている。円板部材８２ｃは、収納部８２ｅと壁面部５６との間に接触するように配置されており、これらの接触面がドラグディスクの摩擦面として作用する。
【００４０】
爪部材８４は、図４、図６及び図７に示すように、先端部が突出した部材であり、収納部８２ｅのガイド部８２ｆ、８２ｇの間の中央部分に揺動自在に装着されている。爪部材８４は、先端部が突出した本体部８４ａと、本体部８４ａの基端側に装着された段付きピン８４ｂとを有している。
【００４１】
本体部８４ａの先端部は、図６及び図７に示すように、凹凸部８３に当接可能に設けられており、スプール４が回転したとき凹凸部８３が爪部材８４に当接を繰り返して発音するようになっている。
【００４２】
段付きピン８４ｂは、図４に示すように、大径の軸部８４ｃと、軸部８４ｃの両端にそれぞれ小径に形成された先端部８４ｄ及び基端部８４ｅとを有している。先端部８４ｄは、円板部材８２ｂに装着されており、基端部８４ｅは、収納部材８２ａに装着されている。軸部８４ｃは、本体部８４ａの厚みより軸方向長さが長く形成されている。このため、ドラグディスクが作用して円板部材８２ｂと収納部材８２ａとが圧縮されても、本体部８４ａの揺動が妨げられにくくなるので、歯切れのよい発音を得ることができる。
【００４３】
付勢部材８５ａ、８５ｂは、図６及び図７に示すように、爪部材８４の両側に配置され、収納部材８２ａのガイド部８２ｆ、８２ｇに圧縮された状態で装着されたコイルばねである。付勢部材８５ａ、８５ｂは、爪部材８４の両側と、収納部材８２ａのガイド部８２ｆ、８２ｇの底部に当接するように装着されており、爪部材８４を図６に示す中立位置に付勢している。ここで、スプール４を回転させて爪部材８４を図７に示す揺動位置にすると、凹凸部８３が爪部材８４に当接して発音する。このとき、爪部材８４の揺動に応じて付勢部材８５ａが伸長し、付勢部材８５ｂが縮小することにより、爪部材８４が回転方向に逃げ、回転方向の抵抗を低減できる。
【００４４】
ドラグ機構６０は、図３に示すように、内筒部材５３ｃの収納空間に配置され、スプール４の糸繰り出し方向への回転を制動してスプール４にドラグ力を作用させるための機構である。ドラグ機構６０は、ドラグ力を手で操作するための操作つまみ６１と、操作つまみ６１の操作により圧縮・伸長する弾性機構６２と、弾性機構６２のばね力の変化により押圧力が変化する押圧部材６３と、押圧部材６３と壁面部５６との間に装着されるドラグディスクとしての第２部材８２とを有している。
【００４５】
操作つまみ６１は、スプール軸１５に螺合するナット６４と、ナット６４が装着されるつまみ部材６５とを有し、スプール４に対して回転自在である。ナット６４は、四角形の外形であり、つまみ部材６５の内部に回転不能かつ軸方向移動自在に装着されている。つまみ部材６５は円盤状の部材であり、前面に前方に突出した略台形状のつまみ６５ａが形成されている。
【００４６】
弾性機構６２は、スプール軸１５の外周側に装着され、先端がナット６４に接触して圧縮可能であり、ばね定数が圧縮途中で変化するものである。具体的には、弾性機構６２は、たとえは、スプール軸１５の先端側外周に直列に配置された２つのコイルばね６６、６７を有している。両コイルばね６６、６７の間には、力を効率よく伝達するためのワッシャ６８が介装されている。コイルばね６６は、コイルばね６７に比べてばね定数が小さくかつ圧縮して密着するまでの距離が短い。コイルばね６６の先端がナット６４に接触し、コイルばね６７の後端が押圧部材６３に接触している。
【００４７】
押圧部材６３は、操作つまみ６１に回転自在かつ軸方向移動不能に連結され、スプール軸１５に対して回転不能な部材である。押圧部材６３は、弾性機構６２の後端に接触して弾性機構６２のばね力の変化によりドラグディスクへの押圧力が変化する。押圧部材６３は、円筒部６３ａと円筒部６３ａより大径のリング状の鍔部６３ｂとを有する鍔付き円筒状の部材である。円筒部６３ａの内周部には、スプール軸１５に回転不能に係止する小判形状の係止孔６３ｃが形成されている。鍔部６３ｂの前端面には周方向に多数の半球状の音出し穴７５が並べて形成されている。押圧部材６３は、連結部材６９により操作つまみ６１と連結されている。
【００４８】
また、押圧部材６３の円筒部６３ａの外周面と前フランジ固定部材５５の第２筒部５５ｂの内周面との間にはシール板７１が装着されている。シール板７１は、前方からドラグ機構６０に水が浸入するのを防止するために設けられている。シール板７１は、外周縁にリップを有するＮＢＲ製の皿状のシール部材である。シール板７１は、スナップリング７９により図３左方に付勢されている。シール板７１の図３左側面には、リング状の突起部７１ｃが形成されている。この突起部７１ｃは、後述する連結部材６９に当接して内周側への液体の浸入を防止している。
【００４９】
連結部材６９は、筒部６９ａとリング状の底部６９ｂとを有する有底筒状の部材であり、その底部６９ｂを押圧部材６３の円筒部６３ａが貫通している。また、底部６９ｂの後面にシール板７１の突起部７１ｃが当接している。連結部材６９の筒部６９ａは、つまみ部材６５の外周面にねじ止めされている。底部６９ｂの前面と押圧部材６３の鍔部６３ｂとの間にはシールリング７２が装着されている。また、連結部材６９の筒部６９ａの先端部とつまみ部材６５との間にはＯリング７３が装着されている。これらのシールリング７２及びＯリング７３は、いずれもＮＢＲ製の弾性部材であり、押圧部材６３とつまみ部材６５との隙間から内部に水が浸入するのを防止するために設けられている。
【００５０】
つまみ部材６５と押圧部材６３との間には、両者の相対回転、つまり操作つまみ６１の操作により発音する発音機構７０が設けられている。発音機構７０は、押圧部材６３の円筒部６３ａに形成された音出し穴７５と、つまみ部材６５に収納された音出しピン７６と、音出しピン７６を音出し穴７５側に付勢するコイルばねからなる音出しばね７７とを有している。つまみ部材６５の後端面に音出し穴７５に対向した位置の２箇所に形成されている。
【００５１】
〔リールの操作及び動作〕
釣りを行う前に魚の大きさや種類に合わせてドラグ力を調整する。ドラグ力を調整するには、つまみ部材６５を回す。つまみ部材６５をたとえば時計回りに回すとスプール軸１５に螺合するナット６４によりコイルばね６６、６７を介して押圧部材６３が第２部材８２を押圧する。これによりドラグ力が大きくなる。このとき、押圧部材６３とつまみ部材６５との相対回転により音出しピン７６が音出し穴７５への衝突を所定間隔で繰り返し歯切れがよい軽快なクリック音を発生する。
【００５２】
キャスティング時にはベールアーム４４を糸開放姿勢に反転させる。これにより第１ベール支持部材４０及び第２ベール支持部材４２は、揺動する。この状態で釣竿を握る手の人差し指で釣り糸を引っかけながら釣竿をキャスティングする。すると釣り糸は仕掛けの重さにより勢いよく放出される。この状態でハンドル１を糸巻取方向に回転させると、ロータ駆動機構５によりロータ３が糸巻取方向に回転し、ベールアーム４４がベール反転機構により糸巻取位置に復帰し釣り糸がスプール４に巻き付けられる。この状態で魚がかかってドラグが作動すると、スプール４がスプール軸１５に対して回転する。すると、発音機構８０が発音してそのことを釣り人に報知する。そして、設定されたドラグ力でスプール４が糸繰り出し方向に回転する。
【００５３】
このようなスピニングリールの発音機構８０では、爪部材８４を両側から押圧することにより中立位置に付勢する１対の付勢部材８５ａ、８５ｂが爪部材８４の両側に設けられており、爪部材８４は凹凸部８３に対して回転方向に付勢されている。このため、爪部材８４が凹凸部８３に当接したとき、付勢部材８５ａ、８５ｂによって爪部材８４が回転方向に逃げるので、回転方向の抵抗を低減することができる。したがって、発音時にスプール４の回転トルクが大きく変動しにくくなるので、スプール４を滑らかに回転させることができ、歯切れのよい発音を得ることができる。
【００５４】
〔他の実施形態〕
（ａ）  前記実施形態では、一般的なフロントドラグを有するスピニングリールを例にあげて説明したが、これに限定されるものではなく、あらゆるタイプのスピニングリールにも本発明を適用できる。
【００５５】
（ｂ）  前記実施形態では、第１部材８１は、防水部材５８の内周側に設けられていたが、図８に示すように、スプール本体５３の内筒部材５３ｃの内周側に設けてもよい。
【００５６】
（ｃ）  前記実施形態では、発音機構８０は、防水部材５８に装着された第１部材８１と、スプール軸１５に回転不能に装着された第２部材８２と、第１部材８１の内周面の周方向に間隔を隔てて形成された複数の凹凸部８３と、第２部材８２に揺動自在かつ凹凸部８３に当接可能に設けられた爪部材８４と、第２部材８２の爪部材８４の両側に設けられ爪部材８４を中立位置に付勢する１対の付勢部材８５ａ、８５ｂとを有していたが、図９に示すように、スプール軸１５の外周にスプール軸１５に対して回転不能に設けられた第１部材８１と、スプール本体５３の内筒部材５３ｃの内周に回転不能に設けられた第２部材８２と、第１部材８１の外周面の周方向に間隔を隔てて形成された複数の凹凸部８３と、第２部材８２に揺動自在かつ凹凸部８３に当接可能に設けられた爪部材８４と、第２部材８２の爪部材８４の両側に設けられ爪部材８４を両側から押圧することにより中立位置に付勢する１対の付勢部材８５ａ、８５ｂとを有する構成にしてもよい。
【００５７】
（ｄ）  前記実施形態では、第１部材８１は、防水部材５８と別体で設けられていたが、図１０及び図１１に示すように、スプール本体５３と第１部材８１とを金属にて一体成形してもよい。また、図１２及び図１３に示すように、スプール本体５３と第１部材８１とを別体にしてもよい。
【図面の簡単な説明】
【００５８】
【図１】本発明の一実施形態を採用したスピニングリールの側面図。
【図２】前記スピニングリールの側面断面図。
【図３】スプールの側面断面図。
【図４】前記スプールの発音機構の拡大断面図。
【図５】前記スプールの正面断面図。
【図６】前記発音機構の拡大断面図。
【図７】前記発音機構の発音時の図６に相当する図。
【図８】他の実施形態の図５に相当する図。
【図９】他の実施形態の図５に相当する図。
【図１０】他の実施形態の図５に相当する図。
【図１１】他の実施形態の図３に相当する図。
【図１２】他の実施形態の図５に相当する図。
【図１３】他の実施形態の図３に相当する図。
【符号の説明】
【００５９】
４  スプール
１５  スプール軸
５３  スプール本体
５３ａ  糸巻胴部
５３ｂ  スカート部
５３ｃ  内筒部材
６０  ドラグ機構
８０  発音機構
８１  第１部材
８２  第２部材
８２ａ  収納部材
８２ｂ、ｃ  円板部材
８２ｄ  筒部
８２ｅ  収納部
８２ｆ、８２ｇ  ガイド部
８３  凹凸部
８４  爪部材
８５ａ、８５ｂ  付勢部材
【図１】
2005130706.tif 000003
【図２】
2005130706.tif 000004
【図３】
2005130706.tif 000005
【図４】
2005130706.tif 000006
【図５】
2005130706.tif 000007
【図６】
2005130706.tif 000008
【図７】
2005130706.tif 000009
【図８】
2005130706.tif 000010
【図９】
2005130706.tif 000011
【図１０】
2005130706.tif 000012
【図１１】
2005130706.tif 000013
【図１２】
2005130706.tif 000014
【図１３】
2005130706.tif 000015